(57)【要約】【課題】配送用物品がたとえ重量物であっても、それを載せた合成樹脂フィルムに引っ張られて緩衝用の下内箱が折れて壊れるのを防止すると共に、組み立てが簡単で、部品コストも低下させることのできるコンパクトな物品配送用箱を提供する。【解決手段】物品配送用箱は、外箱Ａと、上下に重ねて外箱内に隙間なく嵌め込み可能な２つの内箱Ｂ・Ｃとを備え、これら上下の内箱を、それぞれ合成樹脂フィルム２５・３５を張設して形成してなる互いの物品押え面ａと物品載置面ｂを対向させて外箱内に嵌め込み、合成樹脂フィルム間で配送用物品Ｐを挟圧して外箱内の中空部位で保持する。下内箱は、その物品載置面を、外縁に設ける矩形な窓枠部２９と、窓枠部の対角線に設ける筋かい部３０と、筋かい部と窓枠部間にあけてなる窓孔３１と、その窓孔を覆って張設した合成樹脂フィルム３５とで形成する。【選択図】          図１
2006052018.tif 000002
【特許請求の範囲】
【請求項１】
共に段ボール又は板紙からなる、外箱と、上下に重ねて該外箱内に隙間なく嵌め込み可能な２つの内箱とを備え、これら上下の内箱を、それぞれ合成樹脂フィルムを張設して形成してなる互いの物品押え面と物品載置面を対向させて前記外箱内に嵌め込み、前記合成樹脂フィルム間で配送用物品を挟圧して前記外箱内の中空部位で保持してなる物品配送用箱であって、
前記下内箱の物品載置面を、外縁に設ける矩形な窓枠部と、その窓枠部の対角線に設ける筋かい部と、該筋かい部と前記窓枠部間にあけてなる窓孔と、その窓孔を覆って張設した前記合成樹脂フィルムとで形成してなることを特徴とする、物品配送用箱。
【請求項２】
前記上内箱の物品押え面を、外縁に設ける矩形な窓枠部と、その窓枠部の対角線に設ける筋かい部と、該筋かい部と前記窓枠部間にあけてなる窓孔と、その窓孔を覆って張設した前記合成樹脂フィルムとで形成してなることを特徴とする、請求項１に記載の物品配送用箱。
【請求項３】
前記外箱は、一方の対向側板部の上縁にそれぞれ有する第１折曲部を支点として折り曲げ自在に設けた一対の内蓋片と、他方の対向側板部の上縁にそれぞれ有する第２折曲部を支点として折り曲げ自在に設けた一対の外蓋片とで物品出し入れ側の開口を開閉自在とすると共に、前記内蓋片の第１折曲部に、該第１折曲部がそれぞれ下向きに断面コ形状に折り込まれるように複数の折れ目を形成する一方、
前記上内箱には、前記外箱の他方の対向側板部と対応する対向側面板部に、前記内蓋片を折り曲げて閉じたときに該内蓋片を受け止めるストッパ片を設け、前記内蓋片を閉じて前記外蓋片を折り重ねたとき、両蓋片間に付属品収納部が形成されてなることを特徴とする、請求項１又は２に記載の物品配送用箱。
【請求項４】
前記外箱は、一方の対向側板部の上縁にそれぞれ有する第１折曲部を支点として折り曲げ自在に設けた一対の内蓋片と、他方の対向側板部の上縁にそれぞれ有する第２折曲部を支点として折り曲げ自在に設けた一対の外蓋片とで物品出し入れ側の開口を開閉自在としてなり、
前記内蓋片は、前記第１折曲部とそれより先端側に有する棚板部とからなり、第１折曲部を内方へ折り込んだとき、互いの前記棚板部の先端片が重なる長さに形成すると共に、前記第１折曲部に、該第１折曲部がそれぞれ下向きに断面コ形状に折り込まれるように互いに平行な３つの折れ目を設け、そのうちの前記棚板部側の２つの折れ目間に形成される縦板面に、その反対側の２つの折れ目間に形成される蓋受面の幅に合わせた長さの突当て片を残して切欠き穴を形成し、
前記内蓋片を折り曲げて互いの前記棚板部の先端片を重ねて閉じたとき、前記突当て片がそれぞれ前記一方の対向側板部に突き当り、該対向側板部間で前記棚板部が突っ張った棚状の姿勢を維持し、さらに前記外蓋片を折り重ねると両蓋片間に付属品収納部が形成されてなることを特徴とする、請求項１又は２に記載の物品配送用箱。
【請求項５】
前記下内箱は、隣り合う側面板部間を折り山が前記物品載置面の対角線に沿うように内向きに谷折りして４隅に一体のコーナー部を形成し、各コーナー部に、前記物品載置面を上向きにして前記外箱内に嵌め込んだとき前記折り山を支点として三角状の折曲板片が折り重なった補強部を形成してなることを特徴とする、請求項１又は２に記載の物品配送用箱。
【請求項６】
前記上内箱は、隣り合う側面板部間で折り山が前記物品押え面の対角線に沿うように内向きに谷折りして４隅に一体のコーナー部を形成し、各コーナー部に、前記物品押え面を下向きにして前記外箱内に嵌め込んだとき前記折り山を支点として三角状の折曲板片が折り重なった補強部を形成してなることを特徴とする、請求項１又は２に記載の物品配送用箱。
【請求項７】
前記外箱は、一方の対向側板部の上縁にそれぞれ有する第１折曲部を支点として折り曲げ自在に設けた一対の内蓋片と、他方の対向側板部の上縁にそれぞれ有する第２折曲部を支点として折り曲げ自在に設けた一対の外蓋片とで物品出し入れ側の開口を開閉自在とすると共に、前記内蓋片の第１折曲部に、該第１折曲部がそれぞれ下向きに断面コ形状に折り込まれるように複数の折れ目を形成し、前記内蓋片を折り曲げて閉じたときに該内蓋片を前記上内箱の前記補強部で受け止め、さらに前記外蓋片を折り重ねると両蓋片間に付属品収納部が形成されてなることを特徴とする、請求項５又は６に記載の物品配送用箱。
【請求項８】
前記下内箱は、前記コーナー部で向かい合う前記三角状の折曲板片を連結手段で結合して矩形箱形の形態を維持させる構成とし、該連結手段として、前記三角折曲板片の上縁に、それぞれ切れ目を入れて先端に向け漸次幅広となる一対の掛止片を折り曲げ自在に形成し、これら掛止片を重ねて同一方向に折り倒し、そのうちの下側の掛止片を折り倒した跡に形成される切欠き穴に、上側の掛止片を掛け止めて隣り合う前記三角折曲板片が相互に離れて開かないように結合してなることを特徴とする、請求項５に記載の物品配送用箱。
【請求項９】
前記上内箱は、前記コーナー部で向かい合う前記三角状の折曲板片を連結手段で結合して矩形箱形の形態を維持させる構成とし、該連結手段として、一側の前記三角折曲板片に、切れ目を入れて先端に向け漸次幅広となる留め片を曲げ起こし自在に形成する一方、他側の前記三角折曲板片と隣接する前記側面板部に、前記留め片に合わせた穴形状の受け穴を形成し、該受け穴に前記留め片を嵌め込んで隣り合う前記三角折曲板片が相互に離れて開かないように結合してなることを特徴とする、請求項６に記載の物品配送用箱。
【請求項１０】
前記下内箱は、前記コーナー部で向かい合う前記三角状の折曲板片を連結手段で結合して矩形箱形の形態を維持させる構成とし、該連結手段として、一側の前記三角折曲板片に、切れ目を入れて先端に向け漸次幅広となる留め片を曲げ起こし自在に形成する一方、他側の前記三角折曲板片と隣接する前記側面板部に、前記留め片に合わせた穴形状の受け穴を形成し、該受け穴に前記留め片を嵌め込んで隣り合う前記三角折曲板片が相互に離れて開かないように結合してなることを特徴とする、請求項５に記載の物品配送用箱。
【請求項１１】
前記上内箱は、前記コーナー部で向かい合う前記三角状の折曲板片を連結手段で結合して矩形箱形の形態を維持させる構成とし、該連結手段として、前記三角折曲板片の上縁に、それぞれ切れ目を入れて先端に向け漸次幅広となる一対の掛止片を折り曲げ自在に形成し、これら掛止片を重ねて同一方向に折り倒し、そのうちの下側の掛止片を折り倒した跡に形成される切欠き穴に、上側の掛止片を掛け止めて隣り合う前記三角折曲板片が相互に離れて開かないように結合してなることを特徴とする、請求項６に記載の物品配送用箱。
【発明の詳細な説明】
【技術分野】
【０００１】
本発明は、パソコンなどの物品を包装して輸送するための箱で、特に、外箱内に、それぞれ合成樹脂フィルムを張設した互いの物品押え面と物品載置面を対向させて２つの内箱を嵌め込み、それら上下内箱の合成樹脂フィルム間で配送用物品を挟圧して保持する物品配送用箱に関する。
【背景技術】
【０００２】
従来、この種の物品配送用箱の中には、たとえば図１５に示すように、共に段ボール製の外箱１と上下一対の緩衝用内箱２・３を備え、特に上下の内箱２・３に、四方の側板部に断面チャネル状の補強用周壁４を形成すると共に、上内箱２の物品押え面２ａと下内箱３の物品載置面３ａをそれぞれ合成樹脂フィルム５を張設して形成し、配送用物品６を包装する使用時に、上下内箱２・３を、それぞれ折り曲げて組み立ててから、順次、合成樹脂フィルム５の張設した物品押え面２ａと物品載置面３ａとが対向する向きに外箱１に嵌め込み、合成樹脂フィルム５間で配送用物品６を挟圧した状態で外箱１内の中空部位に保持する包装構造にしたものがある（特許文献１参照）。
【特許文献１】特開２０００−２６４３６８号
【発明の開示】
【発明が解決しようとする課題】
【０００３】
ところが、従来の物品配送用箱は、使用時に、その都度、内箱２・３の四方側板部にそれぞれ補強用周壁４を形成すべく、幾つもの折曲線に沿って各側板部の外方側片部７と内方側片部８を曲げ起こし、更に外方側片部７に有する掛止片７ａを折り込み、内方側片部８に有する受溝形成片８ａに係止して両側片部７・８を連結させる各工程を経て組み立てる必要があり、それだけ手間がかかって全体に組み立てが非常に面倒であるいという課題があった。
【０００４】
しかも、従来の物品配送用箱は、内箱２・３の窓枠部２ｂ・３ｂに接着した合成樹脂フィルム５間で物品６を挟圧して保持する包装構造であるため、たとえば物品６がパソコンなど金属製の重量物であると、その重量で合成樹脂フィルム５が大きく撓んで物品６が沈み込み、配送時などに振動や衝撃を受けると、その都度、物品６の荷重に基づいて下内箱３の窓枠部３ｂが合成樹脂フィルム５によって強く引っ張られ、窓枠部３ｂがコーナー部分の途中で折れてしまい、その結果、これが原因で物品が毀損してしまうという課題があった。また、下内箱３の合成樹脂フィルム５側には、常に物品の荷重が加わるため、それだけ強度のある素材のフィルム材であることが必要であり、その分、部品コストが高くなるという課題もあった。更には、下内箱３の合成樹脂フィルム５上に載せた物品６が、その重量に応じて外箱１の中空部位で下方へ大きく沈み込んだ状態で保持されるため、その沈み込量に対応させて、外箱１内の高さ方向に物品逃げスペースを確保する必要があり、その結果、物品自体の大きさに対して外箱を必要以上余計に高く大型にしなければならないという課題があった。
【課題を解決するための手段】
【０００５】
そこで、上述した課題を解決すべく、請求項１に記載の発明は、共に段ボール又は板紙からなる、外箱と、上下に重ねて該外箱内に隙間なく嵌め込み可能な２つの内箱とを備え、これら上下の内箱を、それぞれ合成樹脂フィルムを張設して形成してなる互いの物品押え面と物品載置面を対向させて前記外箱内に嵌め込み、前記合成樹脂フィルム間で配送用物品を挟圧して前記外箱内の中空部位で保持してなる物品配送用箱であって、前記下内箱の物品載置面を、外縁に設ける矩形な窓枠部と、その窓枠部の対角線に設ける筋かい部と、該筋かい部と前記窓枠部間にあけてなる窓孔と、その窓孔を覆って前記窓枠部と前記筋かい部上に接着した前記合成樹脂フィルムとで形成してなることを特徴とする。
【０００６】
請求項２に記載の発明は、請求項１に記載の物品配送用箱において、前記上内箱の物品押え面を、外縁に設ける矩形な窓枠部と、その窓枠部の対角線に設ける筋かい部と、該筋かい部と前記窓枠部間にあけてなる窓孔と、その窓孔を覆って張設した前記合成樹脂フィルムとで形成してなることを特徴とする。
【０００７】
請求項３に記載の発明は、請求項１又は２に記載の物品配送用箱において、前記外箱は、一方の対向側板部の上縁にそれぞれ有する第１折曲部を支点として折り曲げ自在に設けた一対の内蓋片と、他方の対向側板部の上縁にそれぞれ有する第２折曲部を支点として折り曲げ自在に設けた一対の外蓋片とで物品出し入れ側の開口を開閉自在とすると共に、前記内蓋片の第１折曲部に、該第１折曲部がそれぞれ下向きに断面コ形状に折り込まれるように複数の折れ目を形成する一方、前記上内箱には、前記外箱の他方の対向側板部と対応する対向側面板部に、前記内蓋片を折り曲げて閉じたときに該内蓋片を受け止めるストッパ片を設け、前記内蓋片を閉じて前記外蓋片を折り重ねたとき、両蓋片間に付属品収納部が形成されてなることを特徴とする。
【０００８】
請求項４に記載の発明は、請求項１又は２に記載の物品配送用箱において、前記外箱は、一方の対向側板部の上縁にそれぞれ有する第１折曲部を支点として折り曲げ自在に設けた一対の内蓋片と、他方の対向側板部の上縁にそれぞれ有する第２折曲部を支点として折り曲げ自在に設けた一対の外蓋片とで物品出し入れ側の開口を開閉自在としてなり、前記内蓋片は、前記第１折曲部とそれより先端側に有する棚板部とからなり、第１折曲部を内方へ折り込んだとき、互いの前記棚板部の先端片が重なる長さに形成すると共に、前記第１折曲部に、該第１折曲部がそれぞれ下向きに断面コ形状に折り込まれるように互いに平行な３つの折れ目を設け、そのうちの前記棚板部側の２つの折れ目間に形成される縦板面に、その反対側の２つの折れ目間に形成される蓋受面の幅に合わせた長さの突き当て片を残して切欠き穴を形成し、前記内蓋片を折り曲げて互いの前記棚板部の先端片を重ねて閉じたとき、前記突当て片がそれぞれ前記一方の対向側板部に突き当り、該対向側板部間で前記棚板部が突っ張った棚状の姿勢を維持し、さらに前記外蓋片を折り重ねると両蓋片間に付属品収納部が形成されてなることを特徴とする。
【０００９】
請求項５に記載の発明は、請求項１又は２に記載の物品配送用箱において、前記下内箱は、隣り合う側面板部間を折り山が前記物品載置面の対角線に沿うように内向きに谷折りして４隅に一体のコーナー部を形成し、各コーナー部に、前記物品載置面を上向きにして前記外箱内に嵌め込んだとき前記折り山を支点として三角状の折曲板片が折り重なった補強部を形成してなることを特徴とする。
【００１０】
請求項６に記載の発明は、請求項１又は２に記載の物品配送用箱において、前記上内箱は、隣り合う側面板部間で折り山が前記物品押え面の対角線に沿うように内向きに谷折りして４隅に一体のコーナー部を形成し、各コーナー部に、前記物品押え面を下向きにして前記外箱内に嵌め込んだとき前記折り山を支点として三角状の折曲板片が折り重なった補強部を形成してなることを特徴とする。
【００１１】
請求項７に記載の発明は、請求項５又は６に記載の物品配送用箱において、前記外箱は、一方の対向側板部の上縁にそれぞれ有する第１折曲部を支点として折り曲げ自在に設けた一対の内蓋片と、他方の対向側板部の上縁にそれぞれ有する第２折曲部を支点として折り曲げ自在に設けた一対の外蓋片とで物品出し入れ側の開口を開閉自在とすると共に、前記内蓋片の第１折曲部に、該第１折曲部がそれぞれ下向きに断面コ形状に折り込まれるように複数の折れ目を形成し、前記内蓋片を折り曲げて閉じたときに該内蓋片を前記上内箱の前記補強部で受け止め、さらに前記外蓋片を折り重ねると両蓋片間に付属品収納部が形成されてなることを特徴とする。
【００１２】
請求項８に記載の発明は、請求項５に記載の物品配送用箱において、前記下内箱は、前記コーナー部で向かい合う前記三角状の折曲板片を連結手段で結合して矩形箱形の形態を維持させる構成とし、該連結手段として、前記三角折曲板片の上縁に、それぞれ切込み線を入れて先端に向け漸次幅広となる一対の掛止片を折り曲げ自在に形成し、これら掛止片を重ねて同一方向に折り倒し、そのうちの下側の掛止片を折り倒した跡に形成される切欠き穴に、上側の掛止片を掛け止めて隣り合う前記三角折曲板片が相互に離れて開かないように結合してなることを特徴とする。
【００１３】
請求項９に記載の発明は、請求項６に記載の物品配送用箱において、前記上内箱は、前記コーナー部で向かい合う前記三角状の折曲板片を連結手段で結合して矩形箱形の形態を維持させる構成とし、該連結手段として、一側の前記三角折曲板片に、切込み線を入れて先端に向け漸次幅広となる留め片を曲げ起こし自在に形成する一方、他側の前記三角折曲板片と隣接する前記側面板部に、前記留め片に合わせた穴形状の受け穴を形成し、該受け穴に前記留め片を嵌め込んで隣り合う前記三角折曲板片が相互に離れて開かないように結合してなることを特徴とする。
【００１４】
請求項１０に記載の発明は、請求項５に記載の物品配送用箱において、前記下内箱は、前記コーナー部で向かい合う前記三角状の折曲板片を連結手段で結合して矩形箱形の形態を維持させる構成とし、該連結手段として、一側の前記三角折曲板片に、切込み線を入れて先端に向け漸次幅広となる留め片を曲げ起こし自在に形成する一方、他側の前記三角折曲板片と隣接する前記側面板部に、前記留め片に合わせた穴形状の受け穴を形成し、該受け穴に前記留め片を嵌め込んで隣り合う前記三角折曲板片が相互に離れて開かないように結合してなることを特徴とする。
【００１５】
請求項１１に記載の発明は、請求項６に記載の物品配送用箱において、前記上内箱は、前記コーナー部で向かい合う前記三角状の折曲板片を連結手段で結合して矩形箱形の形態を維持させる構成とし、該連結手段として、前記三角折曲板片の上縁に、それぞれ切込み線を入れて先端に向け漸次幅広となる一対の掛止片を折り曲げ自在に形成し、これら掛止片を重ねて同一方向に折り倒し、そのうちの下側の掛止片を折り倒した跡に形成される切欠き穴に、上側の掛止片を掛け止めて隣り合う前記三角折曲板片が相互に離れて開かないように結合してなることを特徴とする。
【発明の効果】
【００１６】
請求項１の物品配送用箱によれば、配送用物品が例え重量物であったとしても、下内箱が、一体な窓枠部と筋かい部上で合成樹脂フィルムを張設して物品載置面を形成し、配送用物品の重い荷重を、合成樹脂フィルムと、窓枠部だけでなく、窓枠部の中で特に強度のあるコーナー部分と連なった筋かい部で支えた構成であるため、配送時などに強い振動や衝撃が加わることがあっても、物品の重さで窓枠部が合成樹脂フィルムによって引っ張られる力を減衰し、これによって、下内箱の窓枠部が合成樹脂フィルムに強く引っ張られて折れたりして下内箱が壊れるのを防止することができ、その結果、重量物を含む各種の配送用物品を合成樹脂フィルム間で安定的に挟圧保持することができる。しかも、物品の重量に応じて合成樹脂フィルムが撓んで物品が過度に沈み込むのを筋かい部で抑えることができ、これにより、配送用物品を合成樹脂フィルム間でしっかり固定して衝撃吸収効果を向上させることができると共に、従来の如く物品の沈み込量に対応させて外箱内の高さ方向に物品逃げスペースを必要以上に確保する必要がなく、その結果、外箱を余計に大型にすることなく、全体にコンパクトな配送用箱を提供することができる。加えて、（３）下内箱の合成樹脂フィルムを常に筋かい部で支えているため、合成樹脂フィルムとして、従来の如く必要以上に強度のある素材のフィルム材を使用する必要がなくなり、それだけ部品コストを低減することができる。そして、（４）従来の如く組み立て途中で補強部の作製工程を経ることなく、外箱内に下内箱と上内箱を順に嵌め込んで、外箱を密封するだけで、物品配送用箱を簡単に組み立てることもできる。
【００１７】
請求項２の物品配送用箱によれば、物品配送用箱を、誤って上下反転させた向きで持ち運んだり配送したりすることが仮にあっても、上内箱に引っ張り外力に対する強度を保持させることができ、同様に重量物の配送用物品を合成樹脂フィルム間で安定的に挟圧保持することができる。
【００１８】
請求項３の物品配送用箱によれば、物品配送用箱を折り曲げ加工して組み立てると、同時に外箱上部に付属品収納部を簡単に形成することができる。そして、この付属品収納部内に付属品を収納して配送することができ、そのため、付属品を、たとえばガムテープ等で外箱に固着させたりして配送したりすると、その途中で付属品が脱落してしまうような弊害の発生を防止することができる。
【００１９】
請求項４の物品配送用箱によれば、外箱の内蓋片の棚板部を交互に倒し、その先端片側を重ね合わせて外箱の開口を閉じると、内蓋片は、その突当て片がそれぞれ一方の対向側板部に突き当り、該対向側板部間で棚板部が突っ張った棚状の姿勢が維持され、これにより、内蓋片が外箱内方へ落ち込まないように支えて、外箱上部に付属品収納部を確実に形成することができる。
【００２０】
請求項５の物品配送用箱によれば、配送用物品が例え重量物であったとしても、物品の重い荷重を、合成樹脂フィルムと窓枠部だけでなく、特に強度をもたせた４隅コーナー部の補強部と連なった筋かい部で支えた構成であるため、物品の重量に応じて合成樹脂フィルムが撓んで物品が過度に沈み込むのを筋かい部で、より一層確実に抑え、たとえ強い振動や衝撃が加わることがあっても、物品の重さで窓枠部が合成樹脂フィルムによって引っ張られる力を減衰し、これにより、下内箱に引っ張り外力に対する強度を常に保持させた状態で、重量物の物品を合成樹脂フィルム間でより安定的に挟圧保持することができる。また、下内箱は、隣り合う側面板部間で分離せずに補強部をもったコーナー部を介して一体な矩形枠状に形成し、外箱内に嵌め込んだときに各補強部を外箱の底板部上に立てて全体を支える構成であるため、外箱内で側板面部が内側に座屈することなく確実に且つスムーズに外箱内に入れることができる。
【００２１】
請求項６の物品配送用箱によれば、合成樹脂フィルムで物品を押える上内箱にも、４隅コーナー部に補強部を形成して強度を高めた構成であるため、振動や衝撃が加わって物品の重さで窓枠部が合成樹脂フィルムにより引っ張られことがあっても、コーナーの補強部で支えて上内箱にも引っ張り外力に対する強度を常に保持させることができ、その結果、重量物の物品を合成樹脂フィルム間で、より一層安定的に挟圧保持することができる。
【００２２】
請求項７の物品配送用箱によれば、これを組み立てて外箱上部に付属品収納部を形成する場合、外箱の内蓋片を折り込んで閉じたときに該内蓋片を上内箱の補強部で受け止めて支える構成であるため、別に内蓋片を支える支持機構を付設する必要がなく、それだけ簡単な構成で外箱上部に便利な付属品収納部を形成することができる。
【００２３】
請求項８の物品配送用箱によれば、下内箱は、切欠き穴に上側の掛止片を掛け止めて、４隅コーナー部の三角折曲板片が開かないように結合して矩形箱形の形態が維持されるため、下内箱を外箱内に嵌め込むときに、一部を引っ掛けたりすることなく、スムーズに開口を通して外箱内に簡単に嵌め入れることができる。
【００２４】
請求項９の物品配送用箱によれば、上内箱は、受け穴に留め片を嵌め込んで、４隅コーナー部の三角折曲板片が開かないように結合して矩形箱形の形態が維持されるため、上内箱を外箱内に嵌め込むときに、一部を引っ掛けたりすることなく、スムーズに開口を通して外箱内に簡単に嵌め入れることができる。
【００２５】
請求項１０の物品配送用箱によれば、下内箱は、受け穴に留め片を嵌め込んで、４隅コーナー部の三角折曲板片が開かないように結合して矩形箱形の形態が維持されるため、下内箱を外箱内に嵌め込むときに、一部を引っ掛けたりすることなく、スムーズに開口を通して外箱内に簡単に嵌め入れることができる。
【００２６】
請求項１１の物品配送用箱によれば、上内箱は、切欠き穴に上側の掛止片を掛け止めて、４隅コーナー部の三角折曲板片が開かないように結合して矩形箱形の形態が維持されるため、上内箱を外箱内に嵌め込むときに、一部を引っ掛けたりすることなく、スムーズに開口を通して外箱内に簡単に嵌め入れることができる。
【発明を実施するための最良の形態】
【００２７】
以下、図面を参照しつつ、本発明を実施するための最良の形態について説明する。
【００２８】
図１は、本発明に係る物品配送用箱を実施するための最良の形態の第１例を示す分解斜視図、図２は、その物品配送用箱を組立状態において示す縦断面図である。図示例の物品配送用箱は、配送用物品の一例として、ノート型パソコンＰを包装して輸送するための梱包手段で、外箱Ａと、外箱Ａ内に嵌め込んで使用する上下の緩衝用内箱Ｂ・Ｃとで構成されてなる。
【００２９】
外箱Ａは、紙又はプラスチック製の段ボール（例えば適宜の厚紙など、他の板紙製であってもよい）を用いて、それぞれ一対の、長さの異なる一方の対向側板部１０と他方の対向側板部１１とからなる矩形な箱本体部１２と、箱本体部１２の下縁に有する底板部１４と、上縁に有する蓋板部１５とで、全体に直方体状につくられてなる。底板部１４は、対向側板部１０の下縁からそれぞれ延びる折り曲げ自在な一対の上底片１４ａと、対向側板部１１の下縁からそれぞれ延びる折り曲げ自在な一対の下底片１４ｂとからなり、周知の段ボール箱の如く、上底片１４ａを内方に折り込んでから、上底片１４ａに下底片１４ｂを折り重ね、下底片１４ｂ間を不図示の粘着テープ等で止めて外箱Ａの底を形成してなる。
【００３０】
一方、蓋板部１５は、対向側板部１０の上縁にそれぞれ有する第１折曲部１７を支点として折り曲げ自在に延びる一対の内蓋片１５ａと、対向側板部１１の上縁にそれぞれ有する第２折曲部１８を支点として折り曲げ自在に延びる一対の外蓋片１５ｂとからなり、この内蓋片１５ａと外蓋片１５ｂとで物品出し入れ側の開口Ｓを開閉する構成になっている。両蓋片のうちで、特に内蓋片１５ａは、第１折曲部１７に互いに平行な３つの折れ目ｘ・ｙ・ｚを設け、これら折れ目に沿って内方へ折り込んだとき、第１折曲部１７が箱折りされ、それぞれ下向きに断面コ形状の側壁１６が形成される構成になっている。そして、内蓋片１５ａは、この第１折曲部１７とそれより先端側に有する棚板部１９とからなり、第１折曲部１７を内方へ折り込んだとき、互いの棚板部１９の先端片１９ａが重なる長さに形成されている。なお、棚板部１９の先端片１９ａには、取っ手用に切り欠いた手掛け凹部１９ｂが設けられ、幅方向両側縁には、段ボールの板厚に合わせて切り欠いた逃げ凹部１９ｃが設けられている。
【００３１】
上下内箱Ｂ・Ｃは、共に１枚の矩形な紙又はプラスチック製の段ボール（例えば適宜の厚紙など、他の板紙製であってもよい）を用いて、片側を開放させた底浅な箱状につくられている。そのうちの上内箱Ｂは、図３でも示すように、外箱Ａの矩形な開口Ｓに合わせた大きさの矩形板面状をなす物品押え面ａと、物品押え面ａの四方外縁にそれぞれ有する折れ目１３に沿って屈曲自在に曲げ起こした４片の対向側面板部２０、２１とで構成されてなる。物品押え面ａは、四方の折れ目１３に沿って矩形枠状をなす窓枠部２３と、窓枠部２３を残して内側を切り取ってあけた窓孔２４と、窓孔２４を覆うように窓枠部２３上に接着して張設した合成樹脂フィルム２５とで形成されている。また、斯かる上内箱Ｂには、長辺側の対向側面板部２０に、それぞれ上記内蓋片１５ａの棚板部１９を受け止めるストッパ片２０ａが設けられている。ストッパ片２０ａは、それぞれ対向側面板部２０に幅方向へ一部横断して設けた一対の切れ込み２６間の板片を、内方へ折り込んで形成している。なお、対向側面板部２０では、ストッパ片２０ａとの間の角２０ｂを面取りしている。
【００３２】
他方、下内箱Ｃは、図４でも示すように、上内箱Ｂと同様に外箱Ａの矩形な開口Ｓに合わせた大きさの矩形板面状をなす物品載置面ｂと、物品載置面ｂの四方外縁にそれぞれ有する折れ目２２に沿って屈曲自在に曲げ起こした４片の対向側面板部２７、２８とで構成されてなる。物品載置面ｂは、四方の折れ目２２に沿って矩形枠状をなす窓枠部２９と、窓枠部２９の２つの対角線にたすき状に掛け渡して設ける筋かい部３０と、筋かい部３０と窓枠部２９を残して内側を切り取ってあけた窓孔３１と、窓孔３１を覆うように窓枠部２９上に接着して張設した合成樹脂フィルム３５とで形成されている。なお、図示例において、上記合成樹脂フィルム２５・３５は、いずれも透明なウレタンフィルム材を用いるが、透明でなくてもよく、またＰＰフィルムの他、各種の合成樹脂製のフィルム材を使用することもできる。
【００３３】
そして、以上の構成部品からなる物品配送用箱は、図１および図２に示すように、外箱Ａ内に、物品載置面ｂを上向きにして下内箱Ｃを嵌め込み、物品載置面ｂに物品押え面ａが重なるように上内箱Ｂを嵌め込み、内蓋片１５ａを、第１折曲部１７の折れ目ｘ・ｙ・ｚに沿って内方へ折り込みながら、棚板部１９を交互に倒してストッパ片２０ａ上に載せて先端片１９ａ側を重ね合わせ、更に外蓋片１５ｂを折り重ねて左右の側壁１６上に載せて組み立ててなる。この組み立て時、図示物品配送用箱では、内蓋片１５ａを折り込んで閉じたときに棚板部１９をストッパ片２０ａが受け止めて支え、更に内蓋片１５ａ上に外蓋片１５ｂを折り重ねると、内蓋片１５ａと外蓋片１５ｂ間に付属品収納部Ｒが形成される。なお、内蓋片１５ａを内方へ折り込んで閉じるとき、その折り込み動作に従って、左右の棚板部１９の逃げ凹部１９ｃに上内蓋Ｂの対向側面板２０の上縁が係合し、それら対向側板面２０が邪魔にならないようになっている。
【００３４】
さて、こうした組み立て構成の図示配送用箱を用いて、配送用物品Ｐを輸送するために包装する場合は、外箱Ａの外蓋片１５ｂを開いてから、手掛け凹部１９ｂに手を掛けて内蓋片１５ａを開いて開口Ｓを開放した状態にしてから、上述の如く物品載置面ｂを上向きにして下内箱Ｃを外箱Ａ内に嵌め込む。次いで、物品載置面ｂの合成樹脂フィルム３５上に、図５に示すように配送用物品Ｐを載せ、それから、外箱Ａ内に、物品押え面ａを下向きにして合成樹脂フィルム２５で物品Ｐを覆うように上内箱Ｂを嵌め込む。しかる後、内蓋片１５ａを第１折曲部１７の折れ目ｘ・ｙ・ｚに沿って折り込み、上内箱Ｂを下向きに押圧しながら、内蓋片１５ａの棚板部１９を交互に重ねて開口Ｓを、図６に示すように閉じる。そして、マウスや電源アダプタなどの付属品Ｑがあるときは、付属品Ｑを、内蓋片１５ａの棚板部１９上に載せて付属品収納部Ｒに収納する。そして、図７に示すように外箱Ａの外蓋片１５ｂを折り重ねて付属品収納部Ｒを閉じ、最後に、不図示の粘着テープ等で外箱Ａを密封する。これにより、配送用物品Ｐを、外箱Ａ内の中空部位において、上下内箱Ｂ・Ｃの合成樹脂フィルム２５・３５間で挟圧した状態でズレ動くことなく拘束して保持し、たとえ外箱Ａに振動や衝撃が加わっても、その外力を上下の内箱Ｂ・Ｃで緩衝して保護できるように梱包してなる。
【００３５】
そこで、図示例では、上下内箱Ｂ・Ｃの合成樹脂フィルム２５・３５間で挟圧保持する配送用物品Ｐが、ノート型パソコンという金属製の重量物であるので、図示配送用箱には、下内箱Ｃの物品載置面ｂに物品Ｐの比較的大きな荷重が加わることになる。しかし、本発明による配送用箱は、下内箱Ｃが、一体の窓枠部２９と筋かい部３０上で合成樹脂フィルム３５を張設して物品載置面ｂを形成し、斯かる物品Ｐの重い荷重を、合成樹脂フィルム３５と窓枠部２９だけでなく、窓枠部２の中で特に強度のあるコーナー部分と連なった筋かい部３０で支えた構成であるため、物品Ｐの重量に応じて合成樹脂フィルム３５が撓んで物品Ｐが過度に沈み込むのを筋かい部３０で抑え、たとえ強い振動や衝撃が加わることがあっても、物品Ｐの重さで窓枠部２９が合成樹脂フィルム３５によって引っ張られる力を減衰し、これにより、下内箱Ｃに引っ張り外力に対する強度を常に保持させた状態で、重量物の物品Ｐを合成樹脂フィルム２５・３５間で安定的に挟圧保持することができる。
【００３６】
上述した図示例の図示配送用箱では、下内箱Ｃの物品載置面ｂに有する筋かい部３０を、交差する２つの対角線に沿ってＸ型のたすき掛け状に形成したが、１つの対角線に沿ってやや幅広な斜線状に形成してもよい。また、筋かい部は、窓枠部のコーナー部分間を結ぶように設けるのであれば、直線的でなくても、曲線的に設けるなど各種形状に形成することもできる。
【００３７】
また、上述した図示例では、下内箱Ｃの物品載置面ｂに筋かい部３０を設けた補強構造にしたが、下内箱Ｃと同様に、たとえば図３中鎖線で示したように、上内箱Ｂを、その物品押え面ａに窓枠部２４の対角線に沿って筋かい部４０を形成し、窓枠部２４上に前記合成樹脂フィルム２５を接着した補強構造にすることもできる。この他例では、配送用箱を、誤って上下反転させた向きで持ち運んだり配送したりすることが仮にあっても、上述したと同様に、上内箱Ｂに引っ張り外力に対する強度を保持させた状態で、重量物の配送用物品Ｐを合成樹脂フィルム２５・３５間で安定的に挟圧保持することもできる。
【００３８】
更に、本発明は、物品配送用箱に備えた下内箱Ｃを、たとえば図８に示すように、対向側面板部２７の下縁をそれぞれ一部切り欠いて、そこに一対の蓋片係合部４５・４５を設けた構成にするとよい。蓋片係合部４５・４５は、組み立て時に下内箱Ｃを前記外箱Ａに嵌め込んだとき、底面の上蓋片１４ａ・１４ａと係合するように対向側面板部２７の下縁部位を、上蓋片１４ａ・１４ａの長さと板厚に合わせた形状に切り欠いて設ける。そして、組み立て時に下内箱Ｃを外箱Ａ内に嵌め込むとき、これら蓋片係合部４５・４５に、上蓋片１４ａ・１４の両側縁を係合させ、これにより、下内箱Ｃの対向側面板部２７を、折れ曲がることなく外箱Ａの対向側板１１に沿って位置決めし、下内箱Ｃが誤って座屈状態で外箱Ａ内に嵌め込まれるのを防止することができる。
【００３９】
さて次に、以上の第１例の物品配送用箱では、上下内箱Ｂ・Ｃはそれぞれ、四方側部を、隣り合う側面板部間に切り込みを設けて分離した４片の側面板部２０・２１、２７・２８で構成した。しかし、本発明の物品配送用箱は、以下に説明する最良の形態の第２例に記載のとおり、上下内箱Ｂ・Ｃをそれぞれ、隣り合う側板部間を分離せずに折り曲げ加工して４隅にコーナー部を設け、これにより全体に一体な矩形枠状に形成し、それらコーナー部には補強部を付設した構造にすることもできる。なお、第２例では、上記に図示した第１例の物品配送用箱と同様な構成部分に同一の符号を付し、以下に説明する。
【００４０】
第２例の上内箱Ｂは、図９に示すように、例えば１枚の矩形な段ボールの四方外縁に沿って井桁状に折れ目３７を設け、その折れ目３７に囲まれて前記外箱Ａの矩形な開口Ｓに合わせた大きさの矩形な物品押え面ａを形成すると共に、四方の角縁４０ａから井桁状折れ目３７の交点４０ｂとの間に、それぞれ物品押え面ａの対角線に沿うように、斜めに切込み４０を設けてなる。そして、図１０に示すように、折れ目３７に沿って曲げ起こして四方に側面板部３９を形成すると共に、隣り合う側面板部間を、切込み４０に沿って内向きに折り込み、即ち折り山が物品押え面ａの対角線に沿う内向きに谷折りし、これにより４隅にコーナー部４１を形成し、全体として片側開放の底浅な矩形箱状に形付けられてなる。
【００４１】
下内箱Ｃは、図１１に示すように、上内箱Ｂと同様、例えば１枚の矩形な段ボールの四方外縁に沿って井桁状に折れ目４４を設け、その折れ目４４に囲まれて外箱Ａの矩形な開口Ｓに合わせた大きさの矩形な物品載置面ｂを形成すると共に、四方の角縁５０ａから井桁状折れ目４４の交点５０ｂとの間に、それぞれ物品載置面ｂの対角線、即ち筋かい部３０に沿うように斜めに切込み５０を設けてなる。そして、図１２に示すように、折れ目４４に沿って曲げ起こして四方に側面板部４６を形成すると共に、隣り合う側面板部間を切込み５０に沿って内向きに折り込み、即ち折り山が筋かい部３０に沿う内向きに谷折りし、これにより４隅にコーナー部５１を形成し、全体に同じく片側開放の底浅な矩形箱状に形付けられてなる。
【００４２】
従って、第２例の物品配送用箱は、図１３に示すように、外箱Ａ内に、物品載置面ｂを上向きにして下内箱Ｃを嵌め込むと、下内箱Ｃは、外箱Ａの四方側板部１０・１１に拘束されて折れ目４４と切込み５０に沿って折り込まれ、各コーナー部５１に、切込み５０の折り山を支点として三角状の折曲板片５５ａ・５５ａが圧接した状態で折り重なった、補強部５５が形成される。更に、下内箱Ｃの物品載置面ｂに物品押え面ａが重なるように上内箱Ｂを嵌め込むと、上内箱Ｂは、同様に外箱Ａの四方側板部１０・１１に拘束されて折れ目３７と切込み４０に沿って折り込まれ、各コーナー部４１に、切込み４０の折り山を支点として三角状の折曲板片５６ａ・５６ａが圧接した状態で折り重なった、補強部５６が形成されるようになっている。そして、外箱Ａの内蓋片１５ａを、図１４に示す如く第１折曲部１７の折れ目ｘ・ｙ・ｚに沿って内方へ折り込みながら、棚板部１９を交互に倒して上内箱Ｂの補強部５６上に載せて先端片１９ａ側を重ね合わせ、更に外蓋片１５ｂを折り重ねて左右の側壁１６上に載せて組み立てる。この組み立て時、物品配送用箱には、内蓋片１５ａを折り込んで閉じたときに棚板部１９を上内箱Ｂの補強部５６で受け止めて支え、更に内蓋片１５ａ上に外蓋片１５ｂを折り重ねると、内蓋片１５ａと外蓋片１５ｂ間に付属品収納部Ｒが形成されるようになっている。
【００４３】
そして、第２例の物品配送用箱では、物品Ｐの梱包時、外箱Ａ内に、上記図示例の場合と同様、物品載置面ｂを上向きにして下内箱Ｃを、４隅コーナー部の各補強部５５が底板部１４上に載る深さ位置まで嵌め込んでから、物品載置面ｂの合成樹脂フィルム３５上に配送用物品Ｐを載せ、次いで、物品押え面ａを下向きにして合成樹脂フィルム２５で物品Ｐを覆うように上内箱Ｂを嵌め込んでから、外箱Ａの内蓋片１５ａを、上内箱Ｂを下向きに押圧しながら閉じる。そして付属品があるときは、付属品を、内蓋片１５ａ上に載せてから、外蓋片１５ｂを折り重ねて付属品収納部Ｒを閉じて、最後に不図示の粘着テープ等で外箱Ａを密封する。これにより、配送用物品Ｐを、外箱Ａ内の中空部位において、上下内箱Ｂ・Ｃの合成樹脂フィルム２５・３５間で挟圧した状態でズレ動くことなく拘束して保持し、たとえ外箱Ａに振動や衝撃が加わっても、その外力を上下の内箱Ｂ・Ｃで緩衝して保護できるように梱包する。
【００４４】
そこで、第２例の配送用箱は、斯かる物品の梱包状態において、下内箱Ｃが、一体の窓枠部２９と筋かい部３０上に合成樹脂フィルム３５を張設して物品載置面ｂを形成し、物品Ｐの重い荷重を、合成樹脂フィルム３５と窓枠部２９だけでなく、特に強度をもたせた４隅コーナー部５１の補強部５５と連なった筋かい部３０で支えた構成であるため、物品Ｐの重量に応じて合成樹脂フィルム３５が撓んで物品Ｐが過度に沈み込むのを筋かい部３０で、より確実に抑え、たとえ強い振動や衝撃が加わることがあっても、物品Ｐの重さで窓枠部２９が合成樹脂フィルム３５によって引っ張られる力を減衰し、これにより、下内箱Ｃに引っ張り外力に対する強度を常に保持させた状態で、重量物の物品Ｐを合成樹脂フィルム２５・３５間で安定的に挟圧保持することができる。しかも、図示他例の配送用箱では、合成樹脂フィルム２５で物品Ｐを押える上内箱Ｂにも、４隅コーナー部に補強部５６を形成して強度を高めた構成であるため、同様に振動や衝撃が加わって、物品Ｐの重さで窓枠部２３が合成樹脂フィルム２５により引っ張られることがあっても、各コーナーの補強部５６で支えて上内箱Ｂにも引っ張り外力に対する強度を常に保持させることができ、その結果、重量物の物品Ｐを合成樹脂フィルム２５・３５間で、より安定的に挟圧保持することができる。
【００４５】
また、第２例では、物品配送用箱の下内箱Ｃは、図１３で示したように、隣り合う側面板部４６間を分離せずに補強部５５をもった４隅コーナー部５１で一体の矩形枠状に形付け、外箱Ａ内に嵌め込んだとき、各補強部５５を外箱Ａの底板部上に立てて矩形枠全体を支える構成であるため、外箱Ａ内で側面板部４６を内側に座屈させることなく、確実に且つスムーズに外箱Ａ内に嵌め入れることができる。
【００４６】
さて、図１５〜図２３は、本発明に係る物品配送用箱を実施するための最良の形態の第３例を示す。第３例は、第１例の外箱Ａの一部と、第２例の上下内箱Ｂ・Ｃの一部を改良した変形例を示している。従って、第３例では、上記に図示した第１例および第２例の物品配送用箱と同様な構成部分には同一の符号を付して、以下に説明する。
【００４７】
第３例の外箱Ａは、図１５に示すように、一対の内蓋片１５ａがそれぞれ第１折曲部１７とそれより先端側に有する棚板部１９とからなり、各々の第１折曲部１７に、第１折曲部１７がそれぞれ下向きに断面コ形状に折り込まれるように、互いに平行な３つの折れ目ｘ・ｙ・ｚを設けるが、特に、そのうち棚板部１９側の２つの折れ目ｙ・ｚ間に形成される縦板面１７ａに、その反対側の２つの折れ目ｘ・ｙ間に形成される蓋受面１７ｂの幅に合わせた長さの突当て片１７ｃを残して切欠き穴６０を形成した構成になっている。さらに内蓋片１５ａは、第１折曲部１７を内方へ折り込んだとき、互いの棚板部１９の先端片１９ａが重なる長さに形成され、その棚板部１９の先端片１９ａには、取っ手用に切り欠いた手掛け凹部１９ｂが設けられている。
【００４８】
第３例の上内箱Ｂは、前記した第２例の上内箱Ｂと同様に、図１６に示すように、例えば１枚の矩形な段ボールの四方外縁に沿って井桁状に折れ目３７を設け、その折れ目３７に囲まれて前記外箱Ａの矩形な前記開口Ｓに合わせた大きさの矩形な物品押え面ａを形成すると共に、四方の角縁４０ａから井桁状折れ目３７の交点４０ｂとの間に、それぞれ物品押え面ａの対角線に沿うように、斜めに切込み４０を設けている。従って、図１７に示すように、折れ目３７に沿って曲げ起こすと、四方に側面板部６１・６２が形成されると共に、隣り合う側面板部６１、６２間を、切込み４０に沿って内向きに折り込み、即ち折り山が物品押え面ａの対角線に沿う内向きに谷折りすると、４隅に、切込み４０の折り山を支点として三角状の折曲板片４１ａ・４１ｂが折り重なるコーナー部４１が形成され、全体として片側開放の底浅な矩形箱状に折り上がるようになっている。
【００４９】
加えて、第３例の上内箱Ｂは、第２例の上内箱Ｂとは異なり、図１６に示すように、一側の三角折曲板片４１ａに、切れ目を入れて先端に向け漸次幅広となる略台形状の小さな留め片６５を曲げ起こし自在に形成している。一方、他側の三角折曲板片４１ｂと隣接する短辺側の側面板部６１には、留め片６５を嵌め込み可能に、その外形状に合わせた穴形状の受け穴６６を形成してなる。また、第３例の上内箱Ｂは、図１７に示すように、矩形箱状に折り起こして組み立てると、コーナー部４１の高さが側面板部６１・６２より一段低くなるように三角折曲板片４１ａ・４１ｂを一部切除して一段小さな三角状に形成している。なお、長辺側の側面板部６２には、前記内蓋片１５ａの棚板部１９を補助的に受け止めるためのストッパ片２０ａも設けられている。
【００５０】
そこで、第３例の上内箱Ｂは、矩形箱状に折り上げてから、図１８に示すように、連結手段として、受け穴６６に留め片６５を嵌め込むと、隣り合う三角折曲板片４１ａ・４１ｂが相互に離れて開かないように結合され、矩形箱形の形態が維持される構成になっている。これにより、上内箱Ｂには、各コーナー部４１に、切込み４０の折り山を支点として三角折曲板片４１ａ・４１ｂが圧接した状態で折り重なる補強部５６が、予め形成される構成になっている。
【００５１】
次に、第３例の下内箱Ｃは、前記した第２例の下内箱Ｃと同様、図１９に示すように、例えば１枚の矩形な段ボールの四方外縁に沿って井桁状に折れ目４４を設け、その折れ目４４に囲まれて外箱Ａの矩形な前記開口Ｓに合わせた大きさの矩形な物品載置面ｂを形成すると共に、四方の角縁５０ａから井桁状折れ目４４の交点５０ｂとの間に、それぞれ物品載置面ｂの対角線、即ち筋かい部３０に沿うように斜めに切込み５０を設けている。そして、図２０に示すように、折れ目４４に沿って曲げ起こすと、四方に側面板部６８・６９が形成されると共に、隣り合う側面板部６８・６９間を切込み５０に沿って内向きに折り込み、即ち折り山が筋かい部３０に沿う内向きに谷折りすると、４隅に、切込み５０の折り山を支点として三角状の折曲板片５１ａ・５１ｂが折り重なるコーナー部５１が形成され、全体に片側開放の底浅な矩形箱状に折り上がるようになっている。
【００５２】
加えて、第３例の下内箱Ｃは、第２例の下内箱Ｃとは異なり、図１９に示すように、三角折曲板片５１ａ・５１ｂの上縁に、それぞれ切れ目を入れて先端に向け漸次幅広となる一対の掛止片７０・７１を折り曲げ自在に形成している。そこで、第３例の下内箱Ｃは、矩形箱状に折り上げてから、図２１に示すように、連結手段として、掛止片７０・７１を重ねて同一方向に折り倒し、そのうち下側の掛止片７１を折り倒した跡に形成される切欠き穴７５に、上側の掛止片７０を掛け止めると、隣り合う三角折曲板片５１ａ・５１ｂが相互に離れて開かないように結合され、矩形箱形の形態が維持される構成になっている。これにより、下内箱Ｃには、各コーナー部５１に、切込み５０の折り山を支点として三角折曲板片５１ａ・５１ｂが圧接した状態で折り重なる補強部５５が、予め形成される構成になっている。
【００５３】
さて、上述した構成の第３例の物品配送用箱において、物品Ｐの梱包時、物品載置面ｂを上向きにして下内箱Ｃを外箱Ａ内に嵌め込むときに、下内箱Ｃは、切欠き穴７５に上側の掛止片７０を掛け止めて、予め各コーナー部５１にて三角折曲板片５１ａ・５１ｂを開かないように結合して矩形箱形の形態が維持されているため、一部を引っ掛けたりすることなく、スムーズに外箱Ａの前記開口を通して、図２２に示すように外箱Ａ内の下方へ簡単に嵌め入れることができる。
【００５４】
次いで、下内箱Ｃの物品載置面ｂの合成樹脂フィルム３５上に、配送用物品Ｐを載せてから、物品押え面ａを下向きにして合成樹脂フィルム２５で物品Ｐを覆うように上内箱Ｂを外箱Ａ内に嵌め込む。この上内箱Ｂを外箱Ａ内に嵌め込むときに、上内箱Ｂは、受け穴６６に留め片６５を嵌め込んで、予め各コーナー部４１にて三角折曲板片４１ａ・４１ｂが開かないように結合して矩形箱形の形態が維持されているため、一部を引っ掛けたりすることなく、スムーズに外箱Ａの前記開口を通して外箱Ａ内に簡単に嵌め入れることができる。
【００５５】
しかる後、外箱Ａの内蓋片１５ａを第１折曲部１７の折れ目ｘ・ｙ・ｚに沿って内方へ折り込みながら、棚板部１９を交互に倒し、その先端片１９ａ側を重ね合わせて外箱Ａの開口を閉じる。そうすると、内蓋片１５ａは、図２３に示すように、第１折曲部１７において突当て片１７ｃがそれぞれ外箱Ａの対向側板部１０・１０に突き当り、該対向側板部間で棚板部１９が水平に突っ張った棚状の姿勢を維持する。そして付属品があるときは、付属品を内蓋片１５ａの棚板部１９に載せてから、外蓋片１５ｂを折り重ねて、左右の蓋受面１７ｂ上に載せて、内蓋片１５ａと外蓋片１５ｂ間の付属品収納部Ｒを閉じる。これにより、前記第２例と同様に、外箱Ａ内の中空部位において、配送用物品Ｐを、共に４隅コーナー部に補強部５６・５５を形成して強度を高めた上下内箱Ｂ・Ｃの合成樹脂フィルム２５・３５間で挟圧した状態で、ズレ動くことなく拘束して保持し、たとえ外箱Ａに強い振動や衝撃が加わっても、その外力を上下の内箱Ｂ・Ｃで緩衝して保護できるように梱包する。
【００５６】
ところで、以上の第３例では、上内箱Ｂを、各コーナー部４１にて三角折曲板片４１ａ・４１ｂが開かないように結合して矩形箱形の形態を維持させるために、上記した下内箱Ｃのように、切欠き穴７５に上側の掛止片７０を掛け止める連結手段によって各コーナー部４１の三角折曲板片４１ａ・４１ｂを連結する構成にすることもできる。反対に、下内箱Ｃを、各コーナー部５１にて三角折曲板片５１ａ・５１ｂが開かないように結合して矩形箱形の形態を維持させるために、上記上内箱Ｂのように、受け穴６６に留め片６５を嵌め込む連結手段によって各コーナー部５１の三角折曲板片５１ａ・５１ｂを連結する構成にすることもできる。
【図面の簡単な説明】
【００５７】
【図１】本発明に係る物品配送用箱を実施するための最良の形態の第１例を示す分解斜視図である。
【図２】第１例の物品配送用箱を組立状態において示す縦断面図である。
【図３】第１例の物品配送用箱に備える上内箱の斜視図である。
【図４】第１例の物品配送用箱に備える下内箱の斜視図である。
【図５】第１例の物品配送用箱を下内箱上に物品を載置した状態において示す斜視図である。
【図６】第１例の物品配送用箱を付属品を付属品収納部に収納した状態において示す斜視図である。
【図７】第１例の物品配送用箱を物品梱包状態において示す縦断面図である。
【図８】第１例の変形例を示す斜視図である。
【図９】本発明に係る第２例の物品配送用箱に備える上内箱を展開して示す平面図である。
【図１０】第２例の上内箱の斜視図である。
【図１１】第２例の物品配送用箱に備える下内箱を展開して示す平面図である。
【図１２】第２例の下内箱の斜視図である。
【図１３】第２例の上下内箱を外箱内に収納した状態において示す斜視図である。
【図１４】第２例の物品配送用箱を組立状態において示す縦断面図である。
【図１５】本発明に係る第３例の物品配送用箱に備える外箱を示す斜視図である。
【図１６】第３例の物品配送用箱に備える上内箱を展開して示す平面図である。
【図１７】第３例の上内箱を４隅コーナー部の結合前状態において示す斜視図である。
【図１８】第３例の上内箱を４隅コーナー部の結合状態において示す斜視図である。
【図１９】第３例の物品配送用箱に備える下内箱を展開して示す平面図である。
【図２０】第３例の下内箱を４隅コーナー部の結合前状態において示す斜視図である。
【図２１】第３例の下内箱を４隅コーナー部の結合状態において示す斜視図である。
【図２２】第３例の上下内箱を外箱内に収納した状態において示す斜視図である。
【図２３】第３例の物品配送用箱を組立状態において示す縦断面図である。
【図２４】従来の物品配送用箱を示す縦断面図である。
【符号の説明】
【００５８】
Ａ              外箱
Ｂ              上内箱
Ｃ              下内箱
Ｐ              ノート型パソコン（配送用物品）
Ｒ              付属品収納部
Ｓ              外箱の開口
ａ              物品押え面
ｂ              物品載置面
ｘ・ｙ・ｚ      折れ目
１０・１１      外箱の対向側板部
１５ａ          外箱の内蓋片
１５ｂ          外蓋片
１６            付属品収納部の側壁
１７            内蓋片の第１折曲部
１７ｃ          突当て片
１８            外蓋片の第２折曲部
２０            下内箱の対向側面板部
２０ａ          ストッパ片
２３            上内箱の窓枠部
２５・３５      合成樹脂フィルム
２９            下内箱の窓枠部
３０・４０      筋かい部
３１            下内箱の窓孔
４１・５１      コーナー部
５５・５６      補強部
６０            切欠き穴
６５            留め片
６６            受け穴
７０・７１      掛止片
７５            切欠き穴
【図１】
2006052018.tif 000003
【図２】
2006052018.tif 000004
【図３】
2006052018.tif 000005
【図４】
2006052018.tif 000006
【図５】
2006052018.tif 000007
【図６】
2006052018.tif 000008
【図７】
2006052018.tif 000009
【図８】
2006052018.tif 000010
【図９】
2006052018.tif 000011
【図１０】
2006052018.tif 000012
【図１１】
2006052018.tif 000013
【図１２】
2006052018.tif 000014
【図１３】
2006052018.tif 000015
【図１４】
2006052018.tif 000016
【図１５】
2006052018.tif 000017
【図１６】
2006052018.tif 000018
【図１７】
2006052018.tif 000019
【図１８】
2006052018.tif 000020
【図１９】
2006052018.tif 000021
【図２０】
2006052018.tif 000022
【図２１】
2006052018.tif 000023
【図２２】
2006052018.tif 000024
【図２３】
2006052018.tif 000025
【図２４】
2006052018.tif 000026